(57)【要約】【課題】本考案は、水分の気化熱による吸熱効果を利用した冷却作用を行う、球状珪藻土入り襟巻きを提供する。【解決手段】メッシュ生地からなる布地を帯状に長尺に裁断し、袋状となるように袋縫いを行った長尺袋帯１と、該長尺袋帯１の長手方向の首周りの頚椎に当たる中央部分２を除き両側に球状体収納袋部３，３を設け、該球状体収納袋部３，３を首筋の縦方向に並列に複数列となるように設ける。前記長尺袋帯１の外側に同等長さで撥水性のある生地でカバー４を設け、該カバー４の両端を前記長尺袋帯１の両端部に固定又は着脱自在に設ける。そして、前記長尺袋帯１の両端部には、ループ紐５の両端を固定して、ループ紐５の中央には長さ調節用のストッパー６を設け、更にループ紐５にはストラップ７等を設ける。【選択図】図４
0003178543.tif 000002
【実用新案登録請求の範囲】
【請求項１】
球状体にした焼成珪藻土をメッシュ生地の長尺袋帯に収納させて、前記球状珪藻土を湿潤させ、水分の気化熱による吸熱効果を利用した冷却作用を行うことを特徴とする球状珪藻土入り襟巻き。
【請求項２】
前記長尺袋帯は、首周りの頚椎に当たる中央部を除き両側に球状体収納袋部を設けたことを特徴とする請求項１記載の球状珪藻土入り襟巻き。
【請求項３】
前記球状体収納袋部は、首筋の縦方向に並列に複数列設けたことを特徴とする請求項２記載の球状珪藻土入り襟巻き。
【請求項４】
前記長尺袋帯の外側に同等長さで撥水性のある生地でカバーを固定又は着脱自在に設けたことを特徴とする請求項１記載の球状珪藻土入り襟巻き。
【考案の詳細な説明】
【技術分野】
【０００１】
本考案は、水分の気化熱による吸熱効果を利用した冷却作用を行う、球状珪藻土入り襟巻きに関する。
【背景技術】
【０００２】
従来、身体の首周りを冷却する製品として、高分子ポリマーに水を吸い込ませて気化熱による吸熱効果を利用したり、不凍液ジェルを冷蔵庫で冷凍して利用したり、高機能繊維を水に浸して絞り気化熱による吸熱効果を利用するものなどが知られている。
これらの例として、取扱いが容易で冷却効果を安定して維持することができる身体冷却具が知られている（特許文献１を参照）。
この公知技術は、布地から構成されると共に収納部が形成された支持体と、該収納部に挿脱可能に収納されると共に不織布からなる袋カバーに粒状又は粉末状の冷却剤を収容して構成される冷却体とを備えた身体冷却具である。
この身体冷却具の使用時には、支持体から冷却体を取り外して水に浸漬して冷却剤に十分吸水させて、再度冷却体を支持体に装着するもので、取扱いが不便であり、かつ装着感がヌルヌルした不快感を及ぼすものであった。
【０００３】
また、多孔質構造を有する珪藻土を球状に形成することが知られている（特許文献２を参照）。
この公知技術は、粒径０．１ｍｍ未満の珪藻土からなる吸放湿性粉体と、粒径０．１ｍｍ未満の粘土からなる結合材とを傾斜回転パン型造粒機に供給し、造粒液となる水を含水率が１５〜４０重量％に維持されるように連続供給しながら、前記吸放湿性粉体と粘土とを含む粒径３〜３０ｍｍの造粒物を得る工程と、前記工程で得られた造粒物を、温度１０００℃以下で焼成し、粒径５〜１５ｍｍの焼成物を得る工程を含む球状吸放湿材の製造方法である。
しかし、上記球状吸放湿材は、空調機器の換気装置に使用するものであり、水分の気化熱による吸熱効果を利用した冷却作用を行う球状珪藻土入り襟巻きに利用できるものではなかった。
【先行技術文献】
【特許文献】
【０００４】
【特許文献１】実用新案登録第３１６９２７１号公報
【特許文献２】特開２００４−２２３３６６号公報
【考案の概要】
【考案が解決しようとする課題】
【０００５】
本考案は、水分の気化熱による吸熱効果を利用した冷却作用を行う、球状珪藻土入り襟巻きを提供することを目的とする。
【課題を解決するための手段】
【０００６】
本考案の球状珪藻土入り襟巻きは、球状体にした焼成珪藻土をメッシュ生地の長尺袋帯に収納させて、前記球状珪藻土を湿潤させ、水分の気化熱による吸熱効果を利用した冷却作用を行うものである。
前記長尺袋帯は、首周りの頚椎に当たる中央部を除き両側に球状体収納袋部を設けた。
前記球状体収納袋部は、首筋の縦方向に並列に複数列設けた。
前記長尺袋帯の外側に同等長さで撥水性のある生地でカバーを固定又は着脱自在に設けた。
【考案の効果】
【０００７】
本考案の球状珪藻土入り襟巻きは、瞬間水に浸して余分な水分を切ることにより、球状珪藻土を湿潤させ、水分の気化熱による吸熱効果を利用して首周りを冷却することができ、緩やかな気化で冷し過ぎはなく、珪藻土の効果は半永久的に利用できる。
本考案の球状珪藻土入り襟巻きは、天然素材で形成されているため、自然に帰せるし、装着感がサラサラとし、冷却効果は約２時間以上継続する。
【図面の簡単な説明】
【０００８】
【図１】本考案の球状珪藻土入り襟巻きの展開状態の裏面側の斜視図である。
【図２】本考案の球状珪藻土入り襟巻きのカバーと本体を引き離した状態の斜視図である。
【図３】本考案の球状珪藻土入り襟巻きの一部を省略した展開状態の表面側の斜視図である。
【図４】本考案の球状珪藻土入り襟巻きの装着姿勢の斜視図である。
【図５】本考案の球状珪藻土入り襟巻きの冷却態様（ａ）水道水の場合、（ｂ）洗面器の場合の説明図である。
【図６】本考案の球状珪藻土入り襟巻きの使用状態の説明図である。
【考案を実施するための形態】
【０００９】
本考案の球状珪藻土入り襟巻きの一実施例を添付図面に基づいて、以下に説明する。
図１の斜視図に示すように、メッシュ生地からなる布地を帯状に長尺に裁断し、袋状となるように袋縫いを行った長尺袋帯１と、該長尺袋帯１の長手方向の首周りの頚椎に当たる中央部分２を除き両側に球状体収納袋部３，３を設け、該球状体収納袋部３，３を首筋の縦方向に並列に複数列となるように設ける。なお、実施例では前記球状体収納袋部３，３は４列であるが、これに限らない、
前記長尺袋帯１の外側に同等長さで撥水性のある生地でカバー４を設け、該カバー４の両端を前記長尺袋帯１の両端部に固定又は着脱自在に設ける。なお、使用者が襟無しのシャツを着る等の場合には前記カバー４を設ける必要がないし、家畜等に使用する場合はカバー４を必要としない。
そして、前記長尺袋帯１の両端部には、ループ紐５の両端を固定して、ループ紐５の中央には長さ調節用のストッパー６を設け、更にループ紐５にはストラップ７等を設ける。
【００１０】
図１の斜視図に示すように、前記球状体収納袋部３，３内には球状珪藻土８が収納されるが、この実施例において前記球状珪藻土８の粒径は１．０〜２．５ｍｍである。但し、これに限らず、家畜等の首周りに装着する場合には、球状珪藻土入り襟巻きの全てがスケールアップとなり、粒径も拡大する。
図２の斜視図に示すように、前記長尺袋帯１と前記カバー４とは、両端同士を固定又は着脱自在に固定しており、中央部分は固定していないので引き離し可能となっている。
図３の斜視図に示すように、前記カバー４によって前記長尺袋帯１が隠れるように覆われている。
図４の斜視図に示すように、本考案の球状珪藻土入り襟巻きの装着姿勢時には、前記長尺袋帯１が内側になるように、前記カバー４を外側にして一体として首周りに装着する。
【００１１】
次に、本考案の球状珪藻土入り襟巻きの操作動作を添付図面に基づいて、以下に説明する。
図５の説明図に示すように、本考案の球状珪藻土入り襟巻きを利用者の首周りに装着する前に、（ａ）水道水の場合には、図２の斜視図に示すように前記長尺袋帯１と前記カバー４とを引き離し、それぞれにループを形成して両手で内側を支えて長尺袋帯１側を水道水に浸す、（ｂ）洗面器の場合には、前記長尺袋帯１と前記カバー４とを引き離し、カバー４側を片手で支えて長尺袋帯１側を洗面器に浸す。
前記長尺袋帯１の球状体収納袋部３，３を瞬間浸して余分な水分を切ることにより、球状珪藻土８を湿潤させる。
そして、図６の説明図に示すように、利用者の首周りの頚椎に当たる部分に前記長尺袋帯１の中央部分２を位置させて装着し、ループ紐５のストッパー６を移動させて首周りに装着する。
本考案の球状珪藻土入り襟巻きの身体への装着状態では、前記球状珪藻土８に含まれる水分が首部の熱により蒸発して気化熱により放熱させることにより、吸熱効果による首周りを冷却する。
この冷却効果は、緩やかな気化で冷し過ぎはなく、装着感がサラサラとし、冷却効果は約２時間以上継続する。
また、前記長尺袋帯１の外側をカバー４が覆っているため、シャツ等の襟を濡らすようなことはない。
【符号の説明】
【００１２】
１  長尺袋帯
２  中央部分
３  球状体収納袋部
４  カバー
５  ループ紐
６  ストッパー
７  ストラップ
８  球状珪藻土
【図１】
0003178543.tif 000003
【図２】
0003178543.tif 000004
【図３】
0003178543.tif 000005
【図４】
0003178543.tif 000006
【図５】
0003178543.tif 000007
【図６】
0003178543.tif 000008